(57)【要約】【課題】電気絶縁性を確保しつつ、熱伝導性を改善して電動機の冷却性能を向上させることができる電動機の冷却構造を提供すること。【解決手段】ケーシング１と、コイル７が形成されたステータ３と、ロータ２と、コイルエンド部７ａ，７ｂに装着されてそのコイルエンド部７ａ，７ｂとの間およびケーシング１との間でオイルを介在させるコイルエンドカバー８，９とを備えた電動機Ｍの冷却構造において、コイルエンド部７ａ，７ｂは、ケーシング１に対して電気的絶縁が不要な絶縁不要部位Ｔと、ケーシング１に対して電気的絶縁が必要な絶縁必要部位Ｓとに区分されていて、コイルエンドカバー８，９を、コイルエンド部７ａ，７ｂに装着した場合に絶縁不要部位Ｔに対向する部分は熱伝導性が良好な金属材料により形成し、かつ絶縁必要部位Ｓに対向する面に電気絶縁性が良好な電気絶縁材料からなる電気絶縁面Ｕを形成した。【選択図】図１
2011055654.tif 000002
【特許請求の範囲】
【請求項１】
ケーシング内に収容されて固定されかつコイルが形成されたステータと、そのステータに対して相対回転自在に前記ケーシングに支持されたロータと、前記ステータの前記ロータの回転軸線方向における両端部で前記コイルが突出しているコイルエンド部に装着されて該コイルエンド部との間および前記ケーシングの内壁との間で冷却液体を介在させるコイルエンドカバーとを備えた電動機の冷却構造において、
前記コイルエンド部は、前記ケーシングに対して電気的絶縁が不要な絶縁不要部位と、前記ケーシングに対して電気的絶縁が必要な絶縁必要部位とに区分されていて、
前記コイルエンドカバーは、前記コイルエンド部に装着された場合に前記絶縁不要部位に対向する部分が熱伝導性が良好な金属材料により形成されかつ前記絶縁必要部位に対向する面に電気絶縁性が良好な電気絶縁材料からなる電気絶縁面が形成されている
ことを特徴とする電動機の冷却構造。
【請求項２】
前記電気絶縁面は、前記絶縁必要部位の電気的絶縁が必要な空間距離と沿面距離とに基づいて形成されていることを特徴とする請求項１に記載の電動機の冷却構造。
【請求項３】
前記コイルエンドカバーは、前記コイルエンド部に装着された場合に前記ロータに近接する部分に磁気絶縁性が良好な磁気絶縁部材からなる磁気絶縁面が更に形成されていることを特徴とする請求項１または２に記載の電動機の冷却構造。
【発明の詳細な説明】
【技術分野】
【０００１】
この発明は、電動機の冷却構造に関し、特にコイルエンドの熱を外部に放出することにより電動機を冷却する電動機の冷却構造に関するものである。
【背景技術】
【０００２】
電動機は産業機械や車両の動力源として広く利用されているが、特に、車両の駆動力源として用いられる場合、その電動機には小型・高出力化あるいは高効率化が要求される。また電動機を運転する際には、電気抵抗や磁界等の作用により不可避的に発熱を伴うので、電動機の最大出力は電動機の温度上昇によって制限される場合が多い。そのため、電動機の高出力化あるいは高効率化を図るためには、電動機の温度上昇を抑制するための冷却性能も向上させる必要がある。
【０００３】
そのような電動機の冷却性能を向上させるための冷却構造の一例が特許文献１に記載されている。この特許文献１に記載されたモータの冷却構造は、モータから発生する熱を逃がす冷却効率を向上させることを目的として、コイルエンドとモータケースとの間に、コイルエンドの熱を奪うためのコイルエンドカバーを設けたモータを冷却する冷却構造であって、コイルエンドカバーとコイルエンドとの間、またはコイルエンドカバーとモータケースとの間に、冷却液体が浸透する微小隙間および冷却液体が流通する液体通路が形成されるように構成されている。また、この特許文献１には、コイルエンドカバーを、熱伝導率が所定値以上に高い絶縁部材で構成することにより、コイルエンドとモータケースとを確実に絶縁することが記載されている。
【０００４】
なお、特許文献２には、ステータコイルの放熱性を向上させることを目的として、コイルの外周部に設けた絶縁性樹脂層および銅製のコイルエンドカバーとハウジングとの間に、銅製で波形断面を有する伝熱スペーサを接続することにより、運転時にステータコイルで発生した熱のコイルエンドカバーからの放熱性を改善するように構成したモータに関する発明が記載されている。
【０００５】
また、特許文献３には、ステータコイルからハウジングへの伝熱冷却性能を向上させることを目的として、ステータコイルのコイルエンドに装着された金属環体の外面をハウジングの内面に密着させ、金属環体の内面とコイルエンドの表面との間に電気絶縁部材として粘着テープおよび充填部材を設置するより、コイルエンドと金属環体との間の絶縁性を確保しつつ、金属環体からの放熱性を高めるように構成した回転電機に関する発明が記載されている。
【０００６】
また、特許文献４には、部品点数および組み付け工数の削減を図ることを目的とした電動モータに関する発明が記載されている。そしてこの特許文献４には、モータ本体部から取り出された複数本のリード線を有する外部接続用端子を覆う端子カバーが、防水性および電気的絶縁性を有するゴムで形成されていることが記載されている。
【０００７】
そして、特許文献５には、樹脂封止工程を必要とせずに、コイルとステータとの間の絶縁距離および沿面距離を十分に確保することを目的としたステッピングモータに関する発明が記載されている。そしてこの特許文献５には、極歯を櫛歯上に配置した一対のステータヨークと、その一対のステータヨークの間に設けられたボビン本体に巻き付けられたコイルと、絶縁性の耐圧カバーとからなり、ボビン本体のコイルを囲まない開口部に、ステータヨークとコイルとの間の沿面放電を抑制するように、外蓋耐圧カバーと中蓋耐圧カバーとからなる耐圧カバーを２重に被せた構成が記載されている。
【先行技術文献】
【特許文献】
【０００８】
【特許文献１】特開２００９−１１８６６７号公報
【特許文献２】特開平１０−２９０５４３号公報
【特許文献３】特開平６−７０５０８号公報
【特許文献４】特開２００５−３１８７４２号公報
【特許文献５】特開２００５−３１８７８８号公報
【発明の概要】
【発明が解決しようとする課題】
【０００９】
前述のように電動機は、その運転時に不可避的に熱が発生するが、特にコイルエンドが主な発熱部位となっている。そのコイルエンド部分には、モータケースに対して電気的絶縁が必要な端子台や中性点が設けられているので、例えば上記の特許文献１に記載されたモータの冷却構造のように、コイルエンドを冷却するためのコイルエンドカバーを設ける場合、そのコイルエンドカバーには、コイルエンドの熱をモータケースに効率良く伝達して外部に放熱させるための熱伝導性と、端子台や中性点とモータケースとの間の電気的絶縁を確保するための電気絶縁性が要求される。
【００１０】
したがって、上記の特許文献１に記載されたモータの冷却構造では、コイルエンドカバーとコイルエンドまたはモータケースとの間に、冷却液体が浸透する微小隙間および冷却液体が流通する液体通路が形成されるとともに、そのコイルエンドカバーが、所定の熱伝導率を有する絶縁部材で構成されている。その結果、上記の特許文献１に記載されたモータの冷却構造によれば、モータケースとコイルエンドとの間の電気絶縁性を確保しつつ、冷却液体によるコイルエンドの冷却効果を得ることができる。
【００１１】
しかしながら、上記のようなコイルエンドカバーを構成する絶縁部材は、具体的には、例えば所定の熱伝導率を有する樹脂等を材料とした部材が想定されるが、一般的に樹脂は、良好な電気絶縁性を有しているものの、その熱伝導率は鉄やアルミニウムあるいは銅などの金属の熱伝導率の概ね１０００分の１〜１００分の１程度でしかなく、金属と比較して熱伝導性では劣っている。そのため、コイルエンドカバーを樹脂製の絶縁部材で構成した場合には、そのコイルエンドカバーを介してコイルエンドの熱をより効率良く外部へ放出するための十分な熱伝導性を確保することができず、コイルエンドを冷却するための十分な冷却性能を得ることができなかった。このように、コイルエンドの冷却のために装着するコイルエンドカバーの熱伝導性と電気絶縁性とを両立させて、電動機の冷却性能を向上させるためには、未だ改良の余地があった。
【００１２】
この発明は上記の技術的課題に着目してなされたものであり、コイルエンドとモータケースとの間における必要な電気絶縁性を確保しつつ、それらの間の熱伝導性を改善して電動機の冷却性能を向上させることができる電動機の冷却構造を提供することを目的とするものである。
【課題を解決するための手段】
【００１３】
上記の目的を達成するために、請求項１の発明は、ケーシング内に収容されて固定されかつコイルが形成されたステータと、そのステータに対して相対回転自在に前記ケーシングに支持されたロータと、前記ステータの前記ロータの回転軸線方向における両端部で前記コイルが突出しているコイルエンド部に装着されて該コイルエンド部との間および前記ケーシングの内壁との間で冷却液体を介在させるコイルエンドカバーとを備えた電動機の冷却構造において、前記コイルエンド部は、前記ケーシングに対して電気的絶縁が不要な絶縁不要部位と、前記ケーシングに対して電気的絶縁が必要な絶縁必要部位とに区分されていて、前記コイルエンドカバーは、前記コイルエンド部に装着された場合に前記絶縁不要部位に対向する部分が熱伝導性が良好な金属材料により形成されかつ前記絶縁必要部位に対向する面に電気絶縁性が良好な電気絶縁材料からなる電気絶縁面が形成されていることを特徴とするものである。
【００１４】
また、請求項２の発明は、請求項１の発明において、前記電気絶縁面が、前記絶縁必要部位の電気的絶縁が必要な空間距離と沿面距離とに基づいて形成されていることを特徴とするものである。
【００１５】
そして、請求項３の発明は、請求項１または２の発明において、前記コイルエンドカバーが、前記コイルエンド部に装着された場合に前記ロータに近接する部分に磁気絶縁性が良好な磁気絶縁部材からなる磁気絶縁面が更に形成されていることを特徴とするものである。
【発明の効果】
【００１６】
請求項１の発明によれば、コイルエンド部の熱を外部に放出するためにそのコイルエンド部とケーシングの内壁との間に冷却液体を介在させるためのコイルエンドカバーを設置する場合に、コイルエンド部では絶縁不要部位と絶縁必要部位とが区分されていて、コイルエンドカバーには、絶縁必要部位と対向する部分のみに電気絶縁面が形成されることにより、コイルエンド部の絶縁必要部位とコイルエンドカバーとの間、およびコイルエンド部の絶縁必要部位とケーシングとの間の電気的絶縁が確立される。そして、コイルエンドカバーにおける絶縁不要部位と対向する部分、すなわちコイルエンドカバーにおけるコイルエンド部を電気的絶縁する必要がない部分は、良熱伝導性の金属材料によって形成される。そのため、電気絶縁面によって絶縁必要部位の電気絶縁性を確保しつつ、コイルエンド部で発生する熱をケーシング外部へ伝達させる際の熱伝導性を高めて、電動機の冷却性能を向上させることができる。
【００１７】
また、請求項２の発明によれば、コイルエンドカバーに電気絶縁面を形成する場合、絶縁必要部位の電気的絶縁が必要な空間距離と沿面距離とに基づいて、その電気絶縁面を形成する範囲が設定される。すなわち、絶縁必要部位を電気的に絶縁することが必要な空間距離の範囲と沿面距離の範囲との両方を含むようにコイルエンドカバーの電気絶縁面が形成される。そのため、コイルエンドカバーの電気絶縁面を必要十分かつ必要最低限の範囲で形成することができる。その結果、コイルエンドカバーの電気絶縁面を除く他の部分を熱伝導性が良い金属材料で形成することができ、コイルエンドカバーを介してコイルエンド部で発生した熱をケーシング外部へ伝達させる際の熱伝導性を可及的に高めることができる。
【００１８】
そして、請求項３の発明によれば、コイルエンドカバーのロータと近接する部分に磁気絶縁面が形成される。ステータのコイルエンド部にコイルエンドカバーを設置する際に、コイルエンドカバーのロータと近接する部分を、例えば鉄などの透磁率が高い材料により形成した場合は、ロータからの漏れ磁束の影響を受けてコイルエンドカバーが発熱してしまう。そこでこの請求項３の発明によれば、上記のように磁気絶縁面が形成されることにより、ロータからの漏れ磁束の影響を排除して、コイルエンドカバーの発熱を防止することができる。
【図面の簡単な説明】
【００１９】
【図１】この発明に係る電動機の冷却構造の構成を説明するための断面図である。
【図２】図１に示す電動機の冷却構造で、特にコイルエンドカバーの構成を説明するための模式図である。
【図３】図１に示す電動機の冷却構造で、特にコイルエンド部の絶縁必要部位を説明するための模式図である。
【発明を実施するための形態】
【００２０】
つぎに、この発明の実施例を図面に基づいて説明する。まず、この発明で対象とする電動機（モータ）Ｍの構成を図１に示す。このモータＭは、電気エネルギにより動力を発生する装置であり、例えば車両の駆動力源として駆動輪の駆動トルクを発生させる動力発生装置である。図１において、モータＭは、ケーシング１内に収容されるとともにそのケーシング１に固定されるロータ２と、ケーシング１内に収容されるとともにステータに対して相対回転自在にケーシング１に支持されるステータ３とを備えている。
【００２１】
具体的には、ケーシング１は、モータケース１ａとモータケースカバー１ｂとから構成されていて、それらモータケース１ａおよびモータケースカバー１ｂは、例えばアルミニウム合金などの金属材料から形成されている。モータケース１ａには、ロータ２およびステータ３を収容可能な内部空間が形成されていて、その内部空間にロータ２およびステータ３が収容された状態で、外側（図１における左側）から円盤状のモータケースカバー１ｂが、例えばボルト締結により固定されている。
【００２２】
ロータ２は、モータケース１ａおよびモータケースカバー１ｂに軸受４，５により回転自在に支持された回転軸６の外周部分に、その回転軸６と一体に固定されている。そして、これらロータ２および回転軸６は、後述のステータ３の内周部分に収容されて配置されている。したがって、ロータ２は、ステータ３に対して相対回転自在に軸受４，５によりケーシング１に支持されている。
【００２３】
ステータ３は、内周部分にロータ２を収容可能な円筒状に形成されており、その内周面とロータ２の外周面とが径方向で所定の距離だけ離間するように配置されて、モータケース１ａに固定されている。さらに、ステータ３には、そのステータ３と一体に周方向に複数配置されたステータコア（図示せず）に導線が巻き付けられたコイル７が形成されている。コイル７は、例えばエナメル被覆線により形成されていて、樹脂等によりモールドもしくはコーティングされてステータコアに固定されている。
【００２４】
ステータ３のコイル７の軸方向端部で、言い換えると、ステータ３のロータ２の回転軸線方向（図１における左右方向）における両端部でコイル７が突出している部分７ａ，７ｂ、すなわちコイルエンド部７ａ，７ｂには、コイルエンドカバー８，９が装着されている。これらコイルエンドカバー８，９は、ステータ３の周方向に配置されたすべてのコイル７のコイルエンド部７ａ，７ｂを覆うように環状に形成されている。
【００２５】
これらコイルエンドカバー８，９は、モータケースカバー１ｂがモータケース１ａに固定された後に、それぞれ、コイルエンド部７ａとモータケースカバー１ｂとの間、およびコイルエンド部７ｂとモータケース１ａとの間に設置される部材であるが、それらのコイルエンド部７ａ，７ｂやモータケース１ａあるいはモータケースカバー１ｂに対して固定はされておらず、コイルエンド部７ａとモータケースカバー１ｂとの間、およびコイルエンド部７ｂとモータケース１ａとの間で挟み付けられて支持されている。
【００２６】
前述したように、モータＭの最大出力や効率を向上させるためには、モータＭの温度上昇を抑制する冷却性能を向上させる必要がある。このモータＭの冷却性能を向上させるには、モータＭの主な発熱部位であるコイルエンド部７ａ，７ｂの発熱を抑制するのことが効果的である。そのため、この発明のモータＭでは、コイルエンドカバー８，９に、それぞれ、コイルエンド部７ａ，７ｂを冷却するための冷却液体を導くための流路８ａ，８ｂ，９ａが形成されている。
【００２７】
具体的には、各流路８ａ，８ｂ，９ａは、コイルエンドカバー８，９の表面、すなわちコイルエンドカバー８のコイルエンド部７ａに対向する面およびモータケースカバー１ｂに対向する面ならびにコイルエンドカバー９のコイルエンド部７ｂに対向する面にそれぞれ形成された溝と、コイルエンド部７ａの外表面およびモータケースカバー１ｂの内壁面ならびにコイルエンド部７ｂの外表面とでそれぞれ囲まれた空間により構成されている。それら流路８ａ，８ｂ，９ａは、例えば図２に示すように、環状のステータ３の周方向に並んだすべてのコイル７のコイルエンド部７ａ，７ｂに沿うように、環状に形成されている。
【００２８】
そして、各流路８ａ，８ｂ，９ａには、冷却液体を流通させるためのポンプや流路等を備えた流通系統（図示せず）が連通されていて、各流路８ａ，８ｂ，９ａにそれぞれ冷却液体が供給され、各流路８ａ，８ｂ，９ａ内を冷却液体が流通するようになっている。なお、冷却液体としては、例えば、車両のエンジンオイルや自動変速機のＡＴＦ（オートマティック・トランスミッション・フルード）などのオイルを用いることができる。
【００２９】
また、前述したようにコイルエンドカバー８，９は、コイルエンド部７ａとモータケースカバー１ｂとの間、あるいはコイルエンド部７ｂとモータケース１ａとの間で挟み付けられて支持されている。このため、コイルエンドカバー８とモータケースカバー１ｂとの間、およびコイルエンドカバー８とコイルエンド部７ａとの間、ならびに、コイルエンドカバー９とモータケース１ａとの間、およびコイルエンドカバー９とコイルエンド部７ｂとの間には、それぞれ、微小隙間Ｐ，Ｑ，Ｒが形成される。
【００３０】
したがって、それら微小隙間Ｐ，Ｑ，Ｒには、上記の各流路８ａ，８ｂ，９ａがそれぞれ連通されることになるので、各流路８ａ，８ｂ，９ａに冷却液体としてオイルが供給されると、そのオイルが微小隙間Ｐ，Ｑ，Ｒへ漏れ出して、微小隙間Ｐ，Ｑ，Ｒにオイルが介在させられることになる。なお、微小隙間Ｐ，Ｑ，Ｒの間隔を、それら微小隙間Ｐ，Ｑ，Ｒに液体が進入した際に毛細管現象が生ずる程度の大きさに設定しておくことにより、各流路８ａ，８ｂ，９ａから漏れ出したオイルを効果的に微小隙間Ｐ，Ｑ，Ｒ全域へ充填させることができる。
【００３１】
このように、コイルエンドカバー８，９とコイルエンド部７ａ，７ｂおよびケーシング１との間に形成された各流路８ａ，８ｂ，９ａに、冷却用のオイルを流通させることにより、微小隙間Ｐ，Ｑ，Ｒにオイルが充填される。すなわち、コイルエンド７ａ，７ｂとコイルエンドカバー８，９との間、およびコイルエンドカバー８とケーシング１との間に介在していた空気が追い出されてオイルが介在させられることになる。その結果、コイルエンド部７ａ，７ｂで生じた熱を、各流路８ａ，８ｂ，９ａを流通するオイルを媒体として外部へ放出させることができ、コイルエンド部７ａ，７ｂの冷却性能を向上させることができる。また、微小隙間Ｐ，Ｑ，Ｒ内で、断熱効果が高い空気に取って代わり冷却用のオイルが介在することによって、コイルエンド部７ａ，７ｂとコイルエンドカバー８，９との間、およびコイルエンドカバー８とケーシング１との間の熱伝導性が改善され、コイルエンド部７ａ，７ｂの冷却性能を一層向上させることができる。
【００３２】
その一方で、コイルエンド部７ａ，７ｂには、例えば図１，図３に示すように、電位が常時０となっている中性点１０や、コイル７に通電する導線をコイル７に接続するための端子台１１が設けられており、それら中性点１０や端子台１１をケーシング１などの外部に対して電気的に絶縁する必要がある。したがって、それら中性点１０や端子台１１などの絶縁必要部位と接触もしくは近接する部位は、電気絶縁性が良好な電気絶縁材料で形成する、あるいは電気絶縁材料からなる電気絶縁部材で被覆するなどの対策を講じる必要がある。
【００３３】
すなわち、それら中性点１０や端子台１１などの絶縁必要部位と接触もしくは近接することになるコイルエンドカバー８，９は、電気絶縁材料で形成する、もしくは表面を電気絶縁部材で被覆する必要がある。この場合、電気絶縁材料としては、樹脂やゴムなどが一般的に電気絶縁性が良好であるが、例えばコイルエンドカバー８，９を樹脂を材料として形成することによって、もしくは樹脂を材料とした部材を表面に被覆することによって、中性点１０や端子台１１の電気絶縁性を確保することができる。その反面、樹脂やゴムなどの電気絶縁部材は、例えば金属製の部材と比較すると熱伝導率が悪く、そのため、例えばコイルエンドカバー８，９を樹脂を材料として形成することによって、コイルエンド部７ａ，７ｂの熱をコイルエンドカバー８，９を介して外部に放出する際の熱伝導性が低下してしまう。
【００３４】
そこで、この発明に係るモータＭの冷却構造では、コイルエンド部７ａ，７ｂを、ケーシング１に対して電気的絶縁が不要な絶縁不要部位と、ケーシング１に対して電気的絶縁が必要な絶縁必要部位とに区分するとともに、コイルエンドカバー８，９がコイルエンド部７ａ，７ｂに装着される際にコイルエンド部７ａ，７ｂの絶縁不要部位に対向する部分を、熱伝導性が良好な金属材料により形成し、コイルエンド部７ａ，７ｂの絶縁必要部位に対向する部分を、電気絶縁性が良好な電気絶縁材料により形成することにより、コイルエンドカバー８，９の電気絶縁性と熱伝導性とを両立させて、冷却構造の冷却性能を向上させることができるように構成されている。
【００３５】
具体的には、図３に示すように、コイルエンド部７ａ，７ｂに設けられている中性点１０および端子台１１に対して電気的絶縁が必要な空間距離と沿面距離とが考慮されて、絶縁必要部位Ｓが設定されている。コイルエンド部７ａ，７ｂにおいて絶縁必要部位Ｓが設定されることにより、コイルエンド部７ａ，７ｂにおけるその絶縁必要部位Ｓを除いた他の部分が、絶縁不要部位Ｔとして設定される。
【００３６】
そして、図２の（ａ）に示すように、コイルエンドカバー８，９をコイルエンド部７ａ，７ｂに装着する際にコイルエンドカバー８，９の絶縁必要部位Ｓに対向する面に、電気絶縁面Ｕが形成されている。言い換えると、絶縁必要部位Ｓを電気的に絶縁することが必要な空間距離の範囲と沿面距離の範囲との両方を含むように、コイルエンドカバー８，９に電気絶縁面Ｕが形成されている。
【００３７】
この電気絶縁面Ｕは、要は、コイルエンドカバー８，９の絶縁必要部位Ｓに対向する部分の空間距離と沿面距離とを考慮した範囲内の面が電気的に絶縁されていればよいので、コイルエンドカバー８，９の周方向におけるそのコイルエンドカバー８，９の周方向における電気絶縁面Ｕを含む部分のみが、例えば樹脂などの電気絶縁性が良好な電気絶縁材料で形成されればよい。あるいは、コイルエンドカバー８，９の表面における電気絶縁面Ｕの範囲のみに、例えば樹脂を塗布したりアルミナ等のセラミックスを溶射したりすることにより、電気絶縁材料による絶縁層として電気絶縁面Ｕが形成されてもよい。
【００３８】
なお、図１に示すように、例えばコイルエンドカバー９の内周側（図１の例では左側）に中性点１０がある場合は、その中性点１０を電気的に絶縁することが必要な沿面距離の範囲、すなわち電気絶縁面Ｕは、コイルエンドカバー９の内周側から外周側（図１の例では右側）の面まで周りこんで設定される場合もある。
【００３９】
一方、コイルエンドカバー８，９をコイルエンド部７ａ，７ｂに装着した際に、コイルエンドカバー８，９の絶縁必要部位Ｓに対向する部分、すなわちコイルエンドカバー８，９において上記の電気絶縁面Ｕが形成された部分を除いた他の部分は、アルミニウム合金などの熱伝導性が良好な金属材料により形成されている。すなわち、この発明のモータＭにおけるコイルエンドカバー８，９は、中性点１０や端子台１１などの絶縁必要部位Ｓに対する電気的絶縁が必要な範囲が、電気絶縁面Ｕにより必要最小限に設定され、コイルエンド部７の絶縁不要部位Ｔに対応して熱伝導性が良好な金属材料により形成される部分が、可及的に広範囲に設定される。そのため、コイルエンド部７ａ，７ｂで発生した熱を、コイルエンドカバー８，９を介して可及的に効率良く外部へ放出させることができる。
【００４０】
さらに、この発明に係るモータＭの冷却構造では、例えば図２の（ｂ）に示すように、コイルエンドカバー８，９をコイルエンド部７ａ，７ｂに装着した際に、ロータ２に近接もしくは対向する部分に、磁気絶縁性が良好な磁気絶縁部材からなる磁気絶縁面Ｖが形成されている。前述したように、ロータ２の周囲には漏れ磁束が存在しているので、そのロータ２の近傍に、例えば鉄などの透磁率が高い材料により形成された部材が配置されると、その高透磁率の部材はロータ２の漏れ磁束の影響を受けて発熱してしまう。したがって、上記のようにコイルエンドカバー８，９に磁気絶縁面Ｖが形成されることにより、ロータ２からの漏れ磁束の影響を排除して、コイルエンドカバー８，９の発熱を防止することができる。
【００４１】
以上のように、この発明に係るモータＭの冷却構造によれば、コイルエンド部７ａ，７ｂで発生する熱を外部に放出するために、そのコイルエンド部７ａ，７ｂとケーシング１の内壁との間に冷却用のオイル等を介在させるためのコイルエンドカバー８，９を設置する場合に、コイルエンド部７ａ，７ｂでは、絶縁不要部位Ｔと絶縁必要部位Ｓとが区分されて、コイルエンドカバー８，９には、絶縁必要部位Ｓと対向する部分のみに電気絶縁面Ｕが形成される。そのため、コイルエンド部７ａ，７ｂの絶縁必要部位Ｓとコイルエンドカバー８，９との間、およびコイルエンド部７ａ，７ｂの絶縁必要部位Ｓとケーシング１との間を確実に電気的に絶縁することができる。
【００４２】
そして、コイルエンドカバー８，９における絶縁不要部位Ｔと対向する部分、すなわちコイルエンドカバー８，９におけるコイルエンド部７ａ，７ｂを電気的に絶縁する必要がない部分は、熱伝導性が良好な金属材料によって形成される。そのため、電気絶縁面Ｕによって絶縁必要部位Ｓの電気絶縁性を確実に確保しつつ、コイルエンド部７ａ，７ｂで発生する熱をケーシング１の外部へ伝達させる際の熱伝導性を高め、その結果、モータＭの冷却性能を向上させることができる。
【００４３】
なお、上述した具体例では、この発明に係るモータＭの冷却構造として、コイルエンド部７ａ，７ｂとケーシング１の内壁との間に冷却用のオイル等を介在させるためのコイルエンドカバー８，９を設置する構成を示しているが、例えば、コイルエンドカバー８，９を用いずに、コイルエンド部７ａ，７ｂを直接ケーシング１に接触させて、コイルエンド部７ａ，７ｂで発生した熱をケーシング１に伝達させて外部に放出させることにより、コイルエンド部７ａ，７ｂを冷却する構成に対しても、この発明に係るモータＭの冷却構造を適用することができる。すなわち、その場合は、ケーシング１の、コイルエンド部７ａ，７ｂの絶縁必要部位Ｓに対向する部分のみに、上記のようにして設定される電気絶縁面Ｕを形成することにより、上述した具体例と同様の作用・効果を得ることができる。
【符号の説明】
【００４４】
１…ケーシング、  １ａ…モータケース、  １ｂ…モータケースカバー、  ２…ロータ、  ３…ステータ、  ６…回転軸、  ７…コイル、  ７ａ，７ｂ…コイルエンド部、  ８，９…コイルエンドカバー、  Ｓ…絶縁必要部位、  Ｔ…絶縁不要部位、  Ｕ…電気絶縁面、  Ｖ…磁気絶縁面、  Ｍ…モータ（電動機）。
【図１】
2011055654.tif 000003
【図２】
2011055654.tif 000004
【図３】
2011055654.tif 000005